(57)【要約】【課題】腕を挿入する構造であり、腕を下げたまま使用する筒状のマッサージ装置において、空気袋が除圧されている間、マッサージ具のずり落ちを防止するようにしたマッサージ装置を提供すること【解決手段】身体に装着され、ずれ防止用空気袋２２およびマッサージ用空気袋２０を有するマッサージ具１２と、該ずれ防止用空気袋２２と該マッサージ用空気袋２０に圧縮空気を供給する圧縮空気供給装置１６とを有し、少なくとも該マッサージ用空気袋２２の圧力が第２圧力７４以下となっている間、該ずれ防止用空気袋２２の圧力は第１圧力７２以上に保持されるようになっており、該ずれ防止用空気袋２２の圧力が該第１圧力７２以上のとき、該ずれ防止用空気袋２２によって該マッサージ具１２が身体からずれないように身体に係合するマッサージ装置１０。【選択図】図２
2020081116.tif 000002
【特許請求の範囲】
【請求項１】
身体に装着され、ずれ防止用空気袋およびマッサージ用空気袋を有するマッサージ具と、該ずれ防止用空気袋と該マッサージ用空気袋に圧縮空気を供給する圧縮空気供給装置とを有し、
少なくとも該マッサージ用空気袋の圧力が第２圧力以下となっている間、該ずれ防止用空気袋の圧力は第１圧力以上に保持されるようになっており、
該ずれ防止用空気袋の圧力が該第１圧力以上のとき、該ずれ防止用空気袋によって該マッサージ具が身体からずれないように身体に係合するマッサージ装置。
【請求項２】
該圧縮空気供給装置が、該マッサージ用空気袋の圧力が該第２圧力以下となっている間、該ずれ防止用空気袋の圧力を該第１圧力以上に保持する、請求項１に記載のマッサージ装置。
【請求項３】
該マッサージ用空気袋の除圧が開始される前に該ずれ防止用空気袋の加圧が開始され、該ずれ防止用空気袋の除圧が開始される前に該マッサージ用空気袋の加圧が開始される、請求項１または２に記載のマッサージ装置。
【請求項４】
該ずれ防止用空気袋が、該マッサージ具を身体に装着したときに該マッサージ用空気袋と身体との間に位置するように配置された、請求項１乃至３の何れか一項に記載のマッサージ装置。
【請求項５】
該マッサージ具は腕に装着されるようになっており、該ずれ防止用空気袋は、該マッサージ具を腕に装着したときに該ずれ防止用空気袋の少なくとも一部が肘より上に位置するように配置された、請求項１乃至４の何れか一項に記載のマッサージ装置。
【発明の詳細な説明】
【技術分野】
【０００１】
本発明は、圧縮空気によって空気袋を膨張させ身体をマッサージするマッサージ装置に関する。
【背景技術】
【０００２】
圧縮空気供給装置から供給される圧縮空気によってマッサージ具の空気袋を膨張させ、指圧代用とするマッサージ装置がある。例えば、腕をマッサージするためのマッサージ具は、筒状で腕を挿入して装着する構造であり、腕を下げた状態で使用する。マッサージ具は空気袋を複数有し、圧縮空気供給装置が各空気袋に順番に圧縮空気を供給し、すべての空気袋が一定圧力以上となった後、各空気袋を一斉に除圧する。一定時間除圧された後、再び圧縮空気供給装置が各空気袋に順番に圧縮空気を供給する。
【先行技術文献】
【特許文献】
【０００３】
【特許文献１】特開２００３−２８４７５４号公報
【発明の概要】
【発明が解決しようとする課題】
【０００４】
従来のマッサージ装置では、空気袋が除圧されている間、マッサージ具による施術部とマッサージ具とが離れマッサージ具が重力によりずり落ちてしまう。そのためマッサージ具が落ちないように、逆の手で掴んだり脇を閉めたりしてマッサージ具を保持する必要があった。
【０００５】
そこで本発明は、マッサージ装置において空気袋が除圧されている間、筒状のマッサージ具のずり落ちを防止するようにしたマッサージ装置を提供することを目的とする。
【課題を解決するための手段】
【０００６】
すなわち本発明は、
身体に装着され、ずれ防止用空気袋およびマッサージ用空気袋を有するマッサージ具と、該ずれ防止用空気袋と該マッサージ用空気袋に圧縮空気を供給する圧縮空気供給装置とを有し、
少なくとも該マッサージ用空気袋の圧力が第２圧力以下となっている間、該ずれ防止用空気袋の圧力は第１圧力以上に保持されるようになっており、
該ずれ防止用空気袋の圧力が該第１圧力以上のとき、該ずれ防止用空気袋によって該マッサージ具が身体からずれないように身体に係合するマッサージ装置を提供する。
【０００７】
当該マッサージ装置においては、マッサージ用空気袋が除圧されている間、ずれ防止用空気袋が一定圧力以上で加圧されて身体に係合することによって、マッサージ具が施術部からずれ落ちることを防止する。
【０００８】
該圧縮空気供給装置が、該マッサージ用空気袋の圧力が該第２圧力以下となっている間、該ずれ防止用空気袋の圧力を該第１圧力以上に保持するようにすることができる。
【０００９】
当該マッサージ装置では、圧縮空気供給装置が直接圧縮空気の供給・排出動作をするので、圧力の管理が容易にできる。
【００１０】
該マッサージ用空気袋の除圧が開始される前に該ずれ防止用空気袋の加圧が開始され、該ずれ防止用空気袋の除圧が開始される前に該マッサージ用空気袋の加圧が開始されるようにすることができる。
【００１１】
該ずれ防止用空気袋が、該マッサージ具を身体に装着したときに該マッサージ用空気袋と身体との間に位置するように配置されるようにすることができる。
【００１２】
該マッサージ具は腕に装着されるようになっており、該ずれ防止用空気袋は、該マッサージ具を腕に装着したときに該ずれ防止用空気袋の少なくとも一部が肘より上に位置するように配置されるようにすることができる。
【００１３】
このようにすることで、ずれ防止用空気袋が肘に引っ掛かるようになり、マッサージ具がよりずれ落ちないようにすることができる。また、ずれ防止用空気袋より上、且つ、当該空気袋が配置されていない部分のマッサージ具は、重力により引っ張られ垂れるが、ずれ防止用空気袋が肘より上に位置することで重力により引っ張られても垂れなくなる。
【００１４】
以下、本発明に係るマッサージ装置の実施形態を添付図面に基づき説明する。
【図面の簡単な説明】
【００１５】
【図１】本発明の第一の実施形態にかかるマッサージ装置を示す外観図である。
【図２】図１のマッサージ装置のマッサージ具の縦断面図（模式図）である。
【図３】図１のマッサージ具本体の内部に配置されるマッサージ用空気袋構成部材を示す図である。
【図４】図１のマッサージ具本体の内部に配置されるずれ防止用空気袋構成部材を示す図である。
【図５】図１の圧縮空気供給装置の動作を示したグラフである。
【図６】図１の第１空気袋と第５空気袋の内部圧力の関係を示したグラフである。
【図７】第二の実施形態に係るマッサージ装置の第１の状態の縦断面図（模式図）である。
【発明を実施するための形態】
【００１６】
本発明の第一の実施形態に係るマッサージ装置１０は、図１に示すように筒状のマッサージ具１２と、マッサージ具１２の各空気袋に圧縮空気を供給するための圧縮空気供給装置１６とを有する。圧縮空気供給装置１６とマッサージ具１２の５つの空気袋とは、５本のチューブ１８により接続されている。
【００１７】
図２に示すように、マッサージ具１２は、マッサージ具本体１４とマッサージ用空気袋２０とずれ防止用空気袋２２とを有し、平面状のマッサージ具本体１４の両端に取り付けられているスライドファスナ２４（図１）を連結することで筒状になる。スライドファスナ２４は使用者２６が装着した際、手先部周辺部２８にまで伸びたマッサージ具１２の下端３０から上腕部周辺部３２にまで伸びたマッサージ具１２の上端３４まで延びている。
【００１８】
図２に示すように、マッサージ具本体１４は、マッサージ具１２の外周面を構成する外側シート部材３６と、内側面を構成する内側シート部材３８とを縫い合わせることで作られており、外側シート部材３６と内側シート部材３８との間には内部空間４０が形成される。内部空間４０には図３に示すマッサージ用空気袋構成部材４２と、図４に示すずれ防止用空気袋構成部材４４とが配置され、マッサージ用空気袋構成部材４２とずれ防止用空気袋構成部材４４は、マッサージ具本体１４に固定されている。マッサージ用空気袋構成部材４２は２枚のシートを溶着して張り合わせることにより形成され、後述する４つの空気袋を構成している。ずれ防止用空気袋構成部材４４は２枚のシートを溶着して張り合わせることにより形成され、後述する１つの空気袋を構成している。マッサージ具本体１４の内部空間４０内において、ずれ防止用空気袋構成部材４４はマッサージ用空気袋構成部材４２と内側シート部材３８との間に配置されている。
【００１９】
マッサージ用空気袋構成部材４２は、第１空気袋４６と第２空気袋４８と第３空気袋５０と第４空気袋５２とを形成し、使用者２６の手先部周辺部２８に第１空気袋４６、前腕部周辺部５４に第２空気袋４８、肘部周辺部（肘）５６に第３空気袋５０、上腕部周辺部３２に第４空気袋５２が配置される。
【００２０】
第１空気袋４６は、マッサージ具本体１４の外側シート部材３６側に第１開口５８を有する。第１開口５８に連結されるチューブ１８を介して圧縮空気供給装置１６が圧縮空気を供給・排出することにより第１空気袋４６が膨張・収縮する。第２空気袋４８は、マッサージ具本体１４の外側シート部材３６側に第２開口６０を有する。第２開口６０に連結されるチューブ１８を介して圧縮空気供給装置１６が圧縮空気を供給・排出することにより第２空気袋４８が膨張・収縮する。第３空気袋５０は、マッサージ具本体１４の外側シート部材３６側に第３開口６２を有する。第３開口６２に連結されるチューブ１８を介して圧縮空気供給装置１６が圧縮空気を供給・排出することにより第３空気袋５０が膨張・収縮する。第４空気袋５２は、マッサージ具本体１４の外側シート部材３６側に第４開口６４を有する。第４開口６４に連結されるチューブ１８を介して圧縮空気供給装置１６が圧縮空気を供給・排出することにより第４空気袋５２が膨張・収縮する。
【００２１】
ずれ防止用空気袋構成部材４４は、マッサージ用空気袋構成部材４２と同じ大きさの第５空気袋６６（ずれ防止用空気袋２２）を形成し、第５空気袋６６の少なくとも一部は、マッサージ具１２が重力方向に引っ張られても垂れないよう、装着者２６の肘部周辺部５６より上側に配置される。
【００２２】
第５空気袋６６はマッサージ具本体１４の外側シート部材３６側に第５開口６８を有する。第５開口６８に連結されるチューブ１８を介して圧縮空気供給装置１６が圧縮空気を供給・排出することにより第５空気袋６６が膨張・収縮する。第５開口６８は、マッサージ用空気袋２０の貫通穴と整合するように配置され、チューブ１８は貫通孔７０を通って第５開口６８に連結されるようなっている。
【００２３】
圧縮空気供給装置１６は、図５のように各空気袋に圧縮空気を供給・排出をする。なお、圧縮空気供給装置１６は各空気袋の圧力を測定するセンサを備えており、測定した圧力が所定の大きさ以上となったときにその空気袋に対する圧縮空気の供給を停止する。圧縮空気供給装置１６は、まず第１空気袋４６に圧縮空気を供給して、第１空気袋４６を膨張させる。第１空気袋４６への圧縮空気の供給が完了すると、圧縮空気供給装置１６は第２空気袋４８に圧縮空気を供給して、第２空気袋４８を膨張させる。第２空気袋４８への圧縮空気の供給が完了すると、圧縮空気供給装置１６は第３空気袋に圧縮空気を供給して、第３空気袋を膨張させる。第３空気袋への圧縮空気の供給が完了すると、圧縮空気供給装置１６は第４空気袋５２に圧縮空気を供給して、第４空気袋５２を膨張させる。第４空気袋５２への圧縮空気の供給が完了した数秒後、圧縮空気供給装置１６は第５空気袋６６に圧縮空気を供給して、第５空気袋６６を膨張させ、第５空気袋６６が第１圧力以上に到達したとき、図６のように第１空気袋４６、第２空気袋４８、第３空気袋、第４空気袋５２の圧縮空気を排出し、空気袋を収縮させる。第５空気袋６６内の圧力は、圧縮空気供給装置１６が第１圧力以上で保持する。圧縮空気供給装置１６は、第１空気袋４６、第２空気袋４８、第３空気袋、第４空気袋５２の圧縮空気を排出してから数秒後、再び第１空気袋４６に圧縮空気を供給し、第１空気袋４６内の圧力が第２圧力以上となった後、第５空気袋６６の圧縮空気を排出する。圧縮空気供給装置１６は上記動作を繰り返す。
【００２４】
マッサージ具１２は、マッサージ用空気袋２０が第２圧力以上、又は、ずれ防止用空気袋２２が第１圧力以上で、常に腕を圧迫することにより、マッサージ具１２と腕が係合しマッサージ具１２が重力でずり落ちなくなる。
【００２５】
このように、当該マッサージ装置１０においては、マッサージ用空気袋２０内の圧力が第２圧力以下となっている間、ずれ防止用空気袋２２が第１圧力以上で加圧され、身体に係合することによって、マッサージ具１２が施術部からずれ落ちることを防止する。
【００２６】
図７に示す第２の実施形態に係るマッサージ装置のマッサージ具２１２は、第４空気袋２５２と第５空気袋２６６（ずれ防止用空気袋２２２）が連結孔２７２で結合されている点で上記第１の実施形態に係るマッサージ装置１０のマッサージ具１２と異なる。当該実施形態における第５空気袋２６６は図４における第５開口６８とそれに連結するチューブ１８が無く、第４空気袋２５２に圧縮空気が供給されると連結孔２７２を経由して第５空気袋２６６にも圧縮空気が供給される。この連結孔２７２の内径は、第４空気袋２５２の開口部の内径より小さい為、第４空気袋２５２内の圧縮空気が排出された場合、第５空気袋２６６内の圧縮空気は第４空気袋２５２を経由して緩やかに排出される。第５空気袋２６６内の圧力が第１圧力以下になる前に、圧縮空気供給装置（図示しない）が第１空気袋２４６を第２圧力以上に加圧することで、マッサージ用空気袋２２０が第２圧力以上、又は、ずれ防止用空気袋２２２が第１圧力以上で腕を加圧しているので、腕に係合しマッサージ具２１２が重力によりずれることを防止する。
【００２７】
第１の実施形態では、腕のマッサージ装置１０としたが、腰周りや足のマッサージ装置としてもよく、マッサージ用空気袋とずれ防止用空気袋とが連結されている場合、同一面上を加圧しなくても良い。圧縮空気供給装置は、第１乃至第４空気袋の圧縮空気を同時に排出することに限定されず、少なくとも１つ以上のマッサージ用空気袋が第２圧力以上で加圧されていれば、圧縮空気の供給・排気のタイミングは自由である。例えば、圧縮空気供給装置１６は、第１空気袋４６と第２空気袋４８に第１圧力以上で圧縮空気が供給されている状態で第３空気袋５０に圧縮空気を供給するとき、第１空気袋４６の圧縮空気を排出してもいい。マッサージ用空気袋は４つの空気袋を有するとしたが数に限りは無く、ずれ防止用空気袋も複数の空気袋を有しても良い。
【符号の説明】
【００２８】
１０  マッサージ装置
１２  マッサージ具
１４  マッサージ具本体
１６  圧縮空気供給装置
１８  チューブ
２０  マッサージ用空気袋
２２  ずれ防止用空気袋
２４  スライドファスナ
２６  使用者、装着者
２８  手先部周辺部
３０  下端
３２  上腕部周辺部
３４  上端
３６  外側シート部材
３８  内側シート部材
４０  内部空間
４２  マッサージ用空気袋構成部材
４４  ずれ防止用空気袋構成部材
４６  第１空気袋
４８  第２空気袋
５０  第３空気袋
５２  第４空気袋
５４  前腕部周辺部
５６  肘部周辺部
５８  第１開口
６０  第２開口
６２  第３開口
６４  第４開口
６６  第５空気袋
６８  第５開口
７０  貫通孔
２１２  マッサージ具
２２０  マッサージ用空気袋
２２２  ずれ防止用空気袋
２４６  第１空気袋
２５２  第４空気袋
２６６  第５空気袋
２７２  連結孔
【図１】
2020081116.tif 000003
【図２】
2020081116.tif 000004
【図３】
2020081116.tif 000005
【図４】
2020081116.tif 000006
【図５】
2020081116.tif 000007
【図６】
2020081116.tif 000008
【図７】
2020081116.tif 000009
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
身体に装着され、ずれ防止用空気袋およびマッサージ用空気袋を有するマッサージ具と、該ずれ防止用空気袋と該マッサージ用空気袋に圧縮空気を供給する圧縮空気供給装置とを有し、
少なくとも該マッサージ用空気袋の圧力が第２圧力以上となった後に該第２圧力以下となってから再び該第２圧力以上となるまでの間、該ずれ防止用空気袋の圧力は第１圧力以上に保持されるようになっており、
該ずれ防止用空気袋の圧力が該第１圧力以上のとき、該ずれ防止用空気袋によって該マッサージ具が身体からずれないように身体に係合し、該マッサージ用空気袋の圧力が該第２圧力以上のとき、該マッサージ用空気袋によって該マッサージ具が身体からずれないように身体に係合するマッサージ装置。
【請求項２】
該圧縮空気供給装置が、該マッサージ用空気袋の圧力が該第２圧力以上となった後に該第２圧力以下となってから再び該第２圧力以上となるまでの間、該ずれ防止用空気袋の圧力を該第１圧力以上に保持する、請求項１に記載のマッサージ装置。
【請求項３】
該マッサージ用空気袋の除圧が開始される前に該ずれ防止用空気袋の加圧が開始され、該ずれ防止用空気袋の除圧が開始される前に該マッサージ用空気袋の加圧が開始される、請求項１または２に記載のマッサージ装置。
【請求項４】
該ずれ防止用空気袋が、該マッサージ具を身体に装着したときに該マッサージ用空気袋と身体との間に位置するように配置された、請求項１乃至３の何れか一項に記載のマッサージ装置。
【請求項５】
該マッサージ具は腕に装着されるようになっており、該ずれ防止用空気袋は、該マッサージ具を腕に装着したときに該ずれ防止用空気袋の少なくとも一部が肘より上に位置するように配置された、請求項１乃至４の何れか一項に記載のマッサージ装置。